(57)【要約】【課題】複数通りの姿勢で設置可能にして使用者の利便性を向上させながら、いずれの姿勢にあっても匍匐害虫の侵入率を狙いとする侵入率に近づけることができるようにする。【解決手段】匍匐害虫用毒餌剤容器１には、設置面に載置された状態で容器を第１の設置姿勢にする第１設置面部１０と、設置面に載置された状態で容器を第２の設置姿勢にする第２設置面部２０とが形成されている。開口部１１は、第１の設置姿勢で設置面に沿う方向に長い第１侵入領域と、第２の設置姿勢で設置面に沿う方向に長い第２侵入領域とを有している。【選択図】図１４
2019122272.tif 000002
【特許請求の範囲】
【請求項１】
匍匐害虫を駆除するための毒餌剤を収容する匍匐害虫用毒餌剤容器において、
上記匍匐害虫用毒餌剤容器には、匍匐害虫の侵入口となる開口部が形成され、
上記匍匐害虫用毒餌剤容器の外面には、該匍匐害虫用毒餌剤容器が設置される設置面に沿って延びるように形成されかつ該設置面に載置された状態で該匍匐害虫用毒餌剤容器を第１の設置姿勢にする第１設置面部と、上記設置面に沿って延びるように形成されかつ該設置面に載置された状態で該匍匐害虫用毒餌剤容器を上記第１の設置姿勢とは異なる第２の設置姿勢にする第２設置面部とが形成され、
上記開口部は、上記第１の設置姿勢で上記匍匐害虫用毒餌剤容器の下部に位置しかつ上記設置面に沿う方向に長い第１侵入領域と、上記第２の設置姿勢で上記匍匐害虫用毒餌剤容器の下部に位置しかつ上記設置面に沿う方向に長い第２侵入領域とを有していることを特徴とする匍匐害虫用毒餌剤容器。
【請求項２】
請求項１に記載の匍匐害虫用毒餌剤容器において、
上記第１侵入領域と上記第２侵入領域とは、上記開口部の内部において互いに重複する部分を有していることを特徴とする匍匐害虫用毒餌剤容器。
【請求項３】
請求項１または２に記載の匍匐害虫用毒餌剤容器において、
上記匍匐害虫用毒餌剤容器には、複数の開口部が互いに間隔をあけて形成されていることを特徴とする匍匐害虫用毒餌剤容器。
【請求項４】
請求項１から３のいずれか１つに記載の匍匐害虫用毒餌剤容器において、
上記匍匐害虫用毒餌剤容器が上記第１の設置姿勢にあるときに上記開口部の下縁部となる縁部は、該縁部の長手方向中間部が両端部に比べて上に位置するように形成されていることを特徴とする匍匐害虫用毒餌剤容器。
【請求項５】
請求項１から４のいずれか１つに記載の匍匐害虫用毒餌剤容器において、
上記匍匐害虫用毒餌剤容器の外面には、上記設置面に沿って延びるように形成されかつ該設置面に載置された状態で該匍匐害虫用毒餌剤容器を上記第１及び第２の設置姿勢とは異なる第３の設置姿勢にする第３設置面部が形成され、
上記開口部は、上記第３の設置姿勢で上記匍匐害虫用毒餌剤容器の下部に位置しかつ上記設置面に沿う方向に長い第３侵入領域を有していることを特徴とする匍匐害虫用毒餌剤容器。
【請求項６】
請求項５に記載の匍匐害虫用毒餌剤容器において、
上記第３侵入領域と、上記第１侵入領域及び上記第２侵入領域とは、上記開口部の内部において互いに重複する部分を有していることを特徴とする匍匐害虫用毒餌剤容器。
【請求項７】
請求項１から６のいずれか１つに記載の匍匐害虫用毒餌剤容器において、
上記匍匐害虫用毒餌剤容器の外面には、上記設置面に沿って延びるように形成されかつ該設置面に載置された状態で該匍匐害虫用毒餌剤容器を上記第１、第２及び第３の設置姿勢とは異なる第４の設置姿勢にする第４設置面部が形成され、
上記第１、第２、第３及び第４設置面部は、仮想の正四面体を構成する４つの面にそれぞれ沿うように形成されていることを特徴とする匍匐害虫用毒餌剤容器。
【請求項８】
請求項７に記載の匍匐害虫用毒餌剤容器において、
上記開口部は、上記仮想の正四面体の４つの頂点部分にそれぞれ対応するように形成されていることを特徴とする匍匐害虫用毒餌剤容器。
【請求項９】
請求項１から８のいずれか１つに記載の匍匐害虫用毒餌剤容器において、
上記毒餌剤は、固形状又は半固形状とされ、
上記匍匐害虫用毒餌剤容器の内部には、上記毒餌剤の外面に接触して該毒餌剤を所定位置に位置決めするための位置決め部が該匍匐害虫用毒餌剤容器の内面から突出するように設けられ、
上記匍匐害虫用毒餌剤容器の外部から上記開口部を見たとき、上記位置決め部が該開口部と重複するように位置していることを特徴とする匍匐害虫用毒餌剤容器。
【発明の詳細な説明】
【技術分野】
【０００１】
本発明は、例えばゴキブリ等の匍匐害虫を駆除するための毒餌剤を収容し、匍匐害虫に毒餌剤を喫食させることによって匍匐害虫を駆除する匍匐害虫用毒餌剤容器の構造の技術分野に属する。
【背景技術】
【０００２】
従来より、匍匐害虫を駆除する方法としては、匍匐害虫を誘引する誘引物質を収容した捕獲器を使用して匍匐害虫を捕獲する方法、匍匐害虫を駆除するための毒餌剤を収容した容器を使用して匍匐害虫に毒餌剤を喫食させる方法等がある。匍匐害虫を捕獲する方法の場合、匍匐害虫を捕獲した後の捕獲器を処理する際に匍匐害虫が見えてしまい、不快であることから、毒餌剤を使用する方法が好まれるケースがある。毒餌剤を使用することで、匍匐害虫が毒餌剤の喫食後、巣やその周辺まで移動した後に死に至らしめることができるので、匍匐害虫を見ることなく、駆除を行うことができるようになる。
【０００３】
この種の匍匐害虫用毒餌剤容器としては、例えば特許文献１に開示されているように、雨水の浸入を抑制するための土手状物を有する底板部と、底板部に結合可能な蓋部とで構成され、蓋部の側壁部には、匍匐害虫の出入り口となる開口部が形成されたものが知られている。開口部は、底板部に沿う方向に長い矩形状とされている。この容器の内部には、固形状又は半固形状の毒餌剤が収容されており、毒餌剤に誘引された匍匐害虫が側壁部の開口部から内部に侵入して毒餌剤を喫食することが可能になっている。
【先行技術文献】
【特許文献】
【０００４】
【特許文献１】特許第５８２０７９７号公報
【発明の概要】
【発明が解決しようとする課題】
【０００５】
ところで、特許文献１の容器では、底板部に雨水の浸入を抑制するための土手状物を設けているので、設置時には、常に底板部が下に位置するように配置する必要がある。つまり、特許文献１の容器は設置時の姿勢が１つに定まっているので、使用者は定められた姿勢となるように容器を置かなければならず、使いやすさの面で改善の余地があると考えられる。例えば、容器を高い所から放り投げるようにして設置しようとすると、特許文献１の場合、底板部が縦になる姿勢で設置されてしまうことが考えられ、そうなると、開口部の長手方向が上下方向になるので、正規の姿勢で設置された場合と比べて匍匐害虫の侵入率に悪影響を及ぼすおそれがある。匍匐害虫の侵入率が低下すると毒餌剤を喫食する機会が減少し、ひいては駆除効果が低減してしまう。
【０００６】
また、特許文献１の容器の天井部は上方へ膨出するような湾曲面で構成されていることから、例えば天井部が下になるような姿勢で設置面に設置された場合を想定すると、容器が不安定になってぐらつき易くなり、この場合も匍匐害虫の侵入率に悪影響を及ぼすおそれがある。
【０００７】
本発明は、かかる点に鑑みてなされたものであり、その目的とするところは、複数通りの姿勢で設置可能にして使用者の利便性を向上させながら、いずれの姿勢にあっても匍匐害虫の侵入率を狙いとする侵入率に近づけることができるようにすることにある。
【課題を解決するための手段】
【０００８】
上記目的を達成するために、本発明では、匍匐害虫用毒餌剤容器を第１の設置姿勢にする第１設置面部と、第２の設置姿勢にする第２設置面部とを当該容器の外面に形成し、第１の設置姿勢で設置面に沿う方向に長い第１侵入領域と、第２の設置姿勢で設置面に沿う方向に長い第２侵入領域とを有する侵入口を当該容器に形成した。
【０００９】
第１の発明は、匍匐害虫を駆除するための毒餌剤を収容する匍匐害虫用毒餌剤容器において、上記匍匐害虫用毒餌剤容器には、匍匐害虫の侵入口となる開口部が形成され、上記匍匐害虫用毒餌剤容器の外面には、該匍匐害虫用毒餌剤容器が設置される設置面に沿って延びるように形成されかつ該設置面に載置された状態で該匍匐害虫用毒餌剤容器を第１の設置姿勢にする第１設置面部と、上記設置面に沿って延びるように形成されかつ該設置面に載置された状態で該匍匐害虫用毒餌剤容器を上記第１の設置姿勢とは異なる第２の設置姿勢にする第２設置面部とが形成され、上記開口部は、上記第１の設置姿勢で上記匍匐害虫用毒餌剤容器の下部に位置しかつ上記設置面に沿う方向に長い第１侵入領域と、上記第２の設置姿勢で上記匍匐害虫用毒餌剤容器の下部に位置しかつ上記設置面に沿う方向に長い第２侵入領域とを有していることを特徴とする。
【００１０】
この構成によれば、第１設置面部が設置面に載置されると匍匐害虫用毒餌剤容器が第１の設置姿勢になり、また第２設置面部が設置面に載置されると匍匐害虫用毒餌剤容器が第２の設置姿勢になる。従って、匍匐害虫用毒餌剤容器を複数通りの姿勢で設置可能になるので、使用者は、設置時に１つの定まった姿勢で設置する必要がなくなり、使用者の利便性が向上する。
【００１１】
そして、匍匐害虫用毒餌剤容器が第１の設置姿勢にあるときには、開口部の第１侵入領域が設置面に沿う方向に長くなり、また匍匐害虫用毒餌剤容器が第２の設置姿勢にあるときには、開口部の第２侵入領域が設置面に沿う方向に長くなる。つまり、いずれの設置姿勢であっても設置面に沿う方向に長い開口領域を有することになるので、設置面を匍匐している匍匐害虫が開口部から容器の内部に侵入し易くなり、その結果、匍匐害虫の侵入率が向上する。特に匍匐害虫がゴキブリである場合は、体が扁平であるため、設置面に沿う方向に長い侵入領域を確保しておくことで、容器の内部に侵入する確率（侵入率）がより一層高まる。匍匐害虫の侵入率とは、例えば容器の周辺に来た匍匐害虫が容器の内部に実際に入る確率のことであり、このとき、容器の内部には体の全部が入ってもよいし、頭部のみが入ってもよい。また、匍匐害虫の侵入率が向上するということは、喫食する機会が増えるということであり、喫食率が向上して駆除効果が高まる。
【００１２】
第２の発明は、上記第１侵入領域と上記第２侵入領域とは、上記開口部の内部において互いに重複する部分を有していることを特徴とする。
【００１３】
この構成によれば、第１侵入領域の一部と第２侵入領域の一部とが互いに重複することになるので、開口部の開口面積を小さくしながら、第１侵入領域及び第２侵入領域を形成することが可能になる。
【００１４】
第３の発明は、上記匍匐害虫用毒餌剤容器には、複数の開口部が互いに間隔をあけて形成されていることを特徴とする。
【００１５】
この構成によれば、匍匐害虫が匍匐害虫用毒餌剤容器の内部に侵入する確率をより一層高めることができる。
【００１６】
第４の発明は、上記匍匐害虫用毒餌剤容器が上記第１の設置姿勢にあるときに上記開口部の下縁部となる縁部は、該縁部の長手方向中間部が両端部に比べて上に位置するように形成されていることを特徴とする。
【００１７】
この構成によれば、開口部の下縁部の長手方向中間部が上に位置していることで、開口部に例えば指等を差し込もうとした際に差し込みにくくなり、毒餌剤に誤って触れてしまうのを抑制することができる。
【００１８】
第５の発明は、上記匍匐害虫用毒餌剤容器の外面には、上記設置面に沿って延びるように形成されかつ該設置面に載置された状態で該匍匐害虫用毒餌剤容器を上記第１及び第２の設置姿勢とは異なる第３の設置姿勢にする第３設置面部が形成され、上記開口部は、上記第３の設置姿勢で上記匍匐害虫用毒餌剤容器の下部に位置しかつ上記設置面に沿う方向に長い第３侵入領域を有していることを特徴とする。
【００１９】
この構成によれば、第３設置面部が設置面に載置されると匍匐害虫用毒餌剤容器が第１及び第２の設置姿勢とは異なる第３の設置姿勢になるので、匍匐害虫用毒餌剤容器を少なくとも３つの姿勢で設置可能になる。匍匐害虫用毒餌剤容器が第３の設置姿勢にあるときには、開口部の第３侵入領域が設置面に沿う方向に長くなるので、設置面を匍匐している匍匐害虫が開口部から容器の内部に侵入し易くなり、その結果、匍匐害虫の侵入率が高まる。
【００２０】
第６の発明は、上記第３侵入領域と、上記第１侵入領域及び上記第２侵入領域とは、上記開口部の内部において互いに重複する部分を有していることを特徴とする。
【００２１】
この構成によれば、第３侵入領域の一部と、第１侵入領域及び第２侵入領域の一部とが互いに重複することになるので、開口部の開口面積を小さくしながら、第１〜第３侵入領域を形成することが可能になる。
【００２２】
第７の発明は、上記匍匐害虫用毒餌剤容器の外面には、上記設置面に沿って延びるように形成されかつ該設置面に載置された状態で該匍匐害虫用毒餌剤容器を上記第１、第２及び第３の設置姿勢とは異なる第４の設置姿勢にする第４設置面部が形成され、上記第１、第２、第３及び第４設置面部は、仮想の正四面体を構成する４つの面にそれぞれ沿うように形成されていることを特徴とする。
【００２３】
この構成によれば、第４設置面部が設置面に載置されると匍匐害虫用毒餌剤容器が第１〜第３の設置姿勢とは異なる第４の設置姿勢になるので、匍匐害虫用毒餌剤容器を少なくとも４つの姿勢で設置可能になる。そして、第１、第２、第３、第４設置面部が仮想の正四面体を構成する位置関係になるので、どの設置面部が設置面に載置されたとしても、他の設置面部との相対的な位置関係は同じになる。よって、第１〜第４のいずれの設置姿勢で設置されても、匍匐害虫用毒餌剤容器の姿勢は外観上、殆ど同じになるようにすることができ、使用者は設置時の姿勢を気にする必要がなくなる。
【００２４】
第８の発明は、上記開口部は、上記仮想の正四面体の４つの頂点部分にそれぞれ対応するように形成されていることを特徴とする。
【００２５】
この構成によれば、匍匐害虫用毒餌剤容器に少なくとも４つの開口部が形成されることになる。例えば、第１の設置姿勢にあるときには、少なくとも３つの開口部が当該容器の下部において開口し、少なくとも１つの開口部が当該容器の上部において開口することになる。よって、匍匐害虫が例えば匍匐害虫用毒餌剤容器の外面を登るように移動した場合に、上部に位置する開口部から当該容器の内部に侵入し易くなり、その結果、匍匐害虫の侵入率がより一層高まる。
【００２６】
第９の発明は、上記毒餌剤は、固形状又は半固形状とされ、上記匍匐害虫用毒餌剤容器の内部には、上記毒餌剤の外面に接触して該毒餌剤を所定位置に位置決めするための位置決め部が該匍匐害虫用毒餌剤容器の内面から突出するように設けられ、上記匍匐害虫用毒餌剤容器の外部から上記開口部を見たとき、上記位置決め部が該開口部と重複するように位置していることを特徴とする。
【００２７】
この構成によれば、毒餌剤が位置決め部によって匍匐害虫用毒餌剤容器の内部で所定位置に保持される。この状態で、位置決め部が開口部と重複するように位置しているので、例えば指等が外部から開口部に差し込まれたときに、位置決め部に当たり、毒餌剤には触れにくくなる。
【発明の効果】
【００２８】
本発明によれば、匍匐害虫用毒餌剤容器を第１の設置姿勢にする第１設置面部と、第２の設置姿勢にする第２設置面部とを当該容器の外面に形成し、第１の設置姿勢で設置面に沿う方向に長い第１侵入領域と、第２の設置姿勢で設置面に沿う方向に長い第２侵入領域とを有する開口部を当該容器に形成したので、匍匐害虫用毒餌剤容器を複数通りの姿勢で設置可能にして使用者の利便性を向上させることができるとともに、いずれの姿勢にあっても匍匐害虫の侵入率を狙いとする喫食率に近づけて駆除効果を高めることができる。
【図面の簡単な説明】
【００２９】
【図１】本発明の実施形態１に係る匍匐害虫用毒餌剤容器が連結された連結体を上方から見た斜視図である。
【図２】連結体を下方から見た斜視図である。
【図３】連結体の平面図である。
【図４】連結体の底面図である。
【図５】連結体の正面図である。
【図６】連結体の左側面図である。
【図７】図３におけるVII−VII線断面図である。
【図８】匍匐害虫用毒餌剤容器の個数を変更した場合を示す図１相当図である。
【図９】匍匐害虫用毒餌剤容器の個数を変更した場合を示す図２相当図である。
【図１０】連結体の第１部材を上方から見た斜視図である。
【図１１】図１０におけるXI−XI線断面を示しており、第１部材をスタッキングした状態の図である。
【図１２】連結体の第２部材を下方から見た斜視図である。
【図１３】図１２におけるXII−XII線断面を示しており、第２部材をスタッキングした状態の図である。
【図１４】第１の設置姿勢にある匍匐害虫用毒餌剤容器を上方から見た斜視図である。
【図１５】第１の設置姿勢にある匍匐害虫用毒餌剤容器の正面図である。
【図１６】第１の設置姿勢にある匍匐害虫用毒餌剤容器の第１開口部のみ拡大して示す図である。
【図１７】第１の設置姿勢にある匍匐害虫用毒餌剤容器の背面図である。
【図１８】第１の設置姿勢にある匍匐害虫用毒餌剤容器の右側面図である。
【図１９】第１の設置姿勢にある匍匐害虫用毒餌剤容器の平面図である。
【図２０】第１の設置姿勢にある匍匐害虫用毒餌剤容器の底面図である。
【図２１】図１９におけるXXI−XXI線断面図である。
【図２２】図１９におけるXXII−XXII線断面図である。
【図２３】本発明の実施形態２に係る匍匐害虫用毒餌剤容器が第１の設置姿勢にある場合の図１４相当図である。
【図２４】本発明の実施形態２に係る匍匐害虫用毒餌剤容器が第１の設置姿勢にある場合の正面図である。
【図２５】本発明の実施形態２に係る匍匐害虫用毒餌剤容器が第１の設置姿勢にある場合の平面図である。
【図２６】図２５におけるXXVI−XXVI線断面図である。
【図２７】図２４におけるXXVII−XXVII線断面図である。
【発明を実施するための形態】
【００３０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００３１】
（実施形態１）
図１〜図９は、本発明の実施形態１に係る匍匐害虫用毒餌剤容器１が複数個連結されて構成された連結体Ａを示すものである。なお、匍匐害虫用毒餌剤容器１は、使用時においては個々に切り離して設置するものである（後述）が、本実施形態では、成形、組み立ておよび運搬時の効率等を鑑みて、このように複数個連結された連結体Ａとして構成されている。図１〜図７に示す例では６個の匍匐害虫用毒餌剤容器１が連結されて連結体Ａが構成され、また図８及び図９に示す例では８個の匍匐害虫用毒餌剤容器１が連結されて連結体Ａが構成されている。
【００３２】
６個の匍匐害虫用毒餌剤容器１を連結した構成にする場合には、図３に示すように平面視で各匍匐害虫用毒餌剤容器１の中心が六角形の各頂点に位置するように配置することにより、６個の匍匐害虫用毒餌剤容器１を環状に配置して連結することができる。６個の匍匐害虫用毒餌剤容器１が連結された連結体Ａの中心部に、別の匍匐害虫用毒餌剤容器１を更に配置し、中心部の匍匐害虫用毒餌剤容器１を周囲の匍匐害虫用毒餌剤容器１に連結してもよい。
【００３３】
図８及び図９に示すように８個の匍匐害虫用毒餌剤容器１を連結した構成にする場合には、平面視で各匍匐害虫用毒餌剤容器１の中心が八角形の各頂点に位置するように配置することにより、８個の匍匐害虫用毒餌剤容器１を環状に配置して連結することができる。８個の匍匐害虫用毒餌剤容器１が連結された連結体Ａの中心部に、別の匍匐害虫用毒餌剤容器１を更に配置し、中心部の匍匐害虫用毒餌剤容器１を周囲の匍匐害虫用毒餌剤容器１に連結してもよい。
【００３４】
連結体Ａを構成する匍匐害虫用毒餌剤容器１の個数は特に限定されるものではなく、例えば５個、７個、９個、１０個以上であってもよい。また、匍匐害虫用毒餌剤容器１は４個以下であってもよく、４個の場合は平面視で各匍匐害虫用毒餌剤容器１の中心が正方形の各頂点に位置するように配置することができる。また、匍匐害虫用毒餌剤容器１は複数個を連結することなく、単体であってもよい。
【００３５】
匍匐害虫用毒餌剤容器１を店頭等で販売する際には、上記したように複数の匍匐害虫用毒餌剤容器１を連結した連結体Ａとして販売することもできるし、複数の匍匐害虫用毒餌剤容器１を連結することなく、１つに包装して販売することもできる。また、匍匐害虫用毒餌剤容器１の大きさは全て同じでなくてもよく、小さいものや大きいものが混在していてもよい。また、１つの匍匐害虫用毒餌剤容器１を包装して販売することもできる。
【００３６】
複数個の匍匐害虫用毒餌剤容器１を連結した構成にする場合、隣合う匍匐害虫用毒餌剤容器１を連結部１００によって連結する。連結部１００は、匍匐害虫用毒餌剤容器１と一体成形されており、連結部１００を介して隣合う匍匐害虫用毒餌剤容器１を一体化することができる。
【００３７】
隣合う匍匐害虫用毒餌剤容器１を分離させる際には、連結部１００を折るように力を加えればよい。連結部１００における中央部は、所定以上の力が加わると破断するように脆弱構造を有している。連結部１００に設ける脆弱構造の例としては、例えば溝部や凹部、貫通孔等を挙げることができる。連結部１００を折るように所定以上の力を加えることで、連結部１００の中央部を起点として連結部１００が破断し、その結果、隣合う匍匐害虫用毒餌剤容器１が分離する。隣合う匍匐害虫用毒餌剤容器１を分離する時に、匍匐害虫用毒餌剤容器１が損傷することのないように、連結部１００の脆弱構造が設けられている。
【００３８】
図１４等に示すように、匍匐害虫用毒餌剤容器１は、共に樹脂材からなる第１部材２０１と第２部材３０１とで構成されており、２分割構造とされている。第１部材２０１と第２部材３０１を構成する樹脂材は、特に限定されるものではないが、硬質樹脂等を用いることができる。
【００３９】
図１４では、匍匐害虫用毒餌剤容器１が第１の設置姿勢にある場合を示しており、第１の設置姿勢にある場合は、第１部材２０１が下に位置し、第２部材３０１が上に位置することになる。尚、匍匐害虫用毒餌剤容器１は、第１部材２０１と第２部材３０１とで構成することなく、単一部材からなる一体成形品であってもよいし、３つ以上の部材を組み合わせて構成してもよい。
【００４０】
６個の匍匐害虫用毒餌剤容器１を環状に配置して連結した構成にする場合には、図１０に示すように、第１部材２０１を連結部１００によって６個連結した状態で射出成形法等の成形方法によって一体成形する。第２部材３０１については、図１２に示すように連結部１００によって６個連結した状態で同様に一体成形する。
【００４１】
図１１に示すように、匍匐害虫用毒餌剤容器１の製造時には、連結部１００によって連結された第１部材２０１を上下方向に重ねておく。また、図１３に示すように、匍匐害虫用毒餌剤容器１の製造時には、連結部１００によって連結された第２部材３０１を上下方向に重ねておく。これをスタッキングというが、本実施形態ではスタッキング時に安定させるための構成も備えており、この構成については後述する。スタッキング時には多数の部材を重ねておくことができる。これにより、組み立て前の第１部材２０１および第２部材３０１を、効率よく保管および運搬することができる。
【００４２】
組み立て時においては、スタッキングされている状態で第１部材２０１及び第２部材３０１を上から順に取って互いに結合することによって匍匐害虫用毒餌剤容器１を得ることができる。第１部材２０１及び第２部材３０１を結合する前に、毒餌剤４００を第１部材２０１に載置しておけばよい。第１部材２０１及び第２部材３０１の結合構造としては、従来から周知のピン嵌合による結合構造や爪嵌合による結合構造、溶着による結合構造等を挙げることができる。
【００４３】
（毒餌剤）
匍匐害虫用毒餌剤容器１は、匍匐害虫を駆除するための毒餌剤４００（図７等に示す）を収容するためのものである。匍匐害虫用毒餌剤容器１に収容されている毒餌剤４００を匍匐害虫に喫食させることで匍匐害虫を死に至らしめて駆除することができる。駆除対象となる匍匐害虫は、地面や床面等を匍匐、歩行、移動する害虫であり、例えば、ゴキブリ、アリ、ムカデ、ダンゴムシ、ワラジムシ、ナメクジ等を挙げることができるが、これらに限定されるものはない。壁面を匍匐、歩行、移動する害虫も駆除対象害虫である。ゴキブリは、例えば、チャバネゴキブリ、ワモンゴキブリ、クロゴキブリ等を挙げることができる。
【００４４】
毒餌剤４００は、固形状または半固形状とされていて、長期間に亘って所定の形状を維持することができる形状維持性を備えている。固形状または半固形状とする場合には、円柱状に成形することができる。毒餌剤４００は、基材と、殺虫剤と、誘引剤とを含んでいる。
【００４５】
殺虫剤としては、例えばフィプロニルが好適に用いられる。他にも、レスメトリン、ペルメトリン、サイフェノトリン、サイパーメスリン、エトフェンプロックス、トラロメスリンなどのピレスロイド系化合物、有機リン系殺虫剤、カーバメイト系殺虫剤、シラフルオフェン、イミダクロプリド、クロルフェナピル、ホウ酸等が挙げられるが、これらに限定されるものではない。また、これらを複数種類混合して用いても良い。殺虫剤と混合して用いられる他の成分としては、殺虫剤の溶解性、乾性、粘性、付着性、対象害虫への影響（忌避性または誘引性の有無）、安全性、経済性などを考慮して選択することができる。これらの成分としては、大豆油、ナタネ油、ゴマ油、落花生油、オリーブ油などの植物油脂、豚脂、牛脂などの動物油脂、灯油、エタノール、メタノール、ポリエチレングリコール、メチルジグリコール、グリセリンなどのアルコール類などが例示できる。
【００４６】
誘引剤としては、上記した植物性油脂、動物性油脂の他、各種の食材、澱粉、糖類、チーズ、ハチミツ、フレーバー類、エキス類、フェロモンなどの中から選択することができるが、これらに限られるものではなく、常温で揮発性を有する各種誘引剤を使用することができる。
【００４７】
殺虫剤及び誘引剤の担持体としては限定されるものではないが、殺虫剤及び誘引剤の保持力、製造性などの観点から、各種粉体、レーヨン、合成繊維、ガラス繊維などからなる不織布、コート紙、ボール紙などの紙、木綿、絹、羊毛などの天然繊維からなる布、水性および油性ゲル、吸液性ポリマーなどを用いることが好ましい。粉体を使用する場合には、固形化、または半固形化するための固形化剤または半固形化剤を混合させるのが好ましい。固形化剤及び半固形化剤は従来から周知のものである。
【００４８】
毒餌剤４００の形状は、例えば上下方向に長い円柱状にすることができるが、立方体形状、直方体形状、球状等であってもよい。またこの実施形態の匍匐害虫用毒餌剤容器１は、害虫が侵入するための４つの開口部１１〜１４を有している（詳しくは後述）ので、毒餌剤４００は、それぞれの開口部１１〜１４からの距離が等しくなるように配置することが好ましい。図２１に示すように本実施形態では、第１の設置姿勢において毒餌剤４００が上下方向に長い形状とすることにより、開口部１４から毒餌剤４００までの距離を近づけている。結果として、何れの開口部１１〜１４からでも毒餌剤４００までの距離がほぼ等しくなっている。
【００４９】
（匍匐害虫用毒餌剤容器１の形状）
図１４等に示すように、匍匐害虫用毒餌剤容器１は立体形状を有しており、図１９に仮想線で示す仮想の正四面体の内方に収めることが可能な形状となっている。図１４、図１５、図１７〜図２０に示すように、匍匐害虫用毒餌剤容器１の外面には、第１設置面部１０と、第２設置面部２０と、第３設置面部３０と、第４設置面部４０とが形成されている。第１設置面部１０は、匍匐害虫用毒餌剤容器１が設置される設置面Ｇ（図１５に仮想線で示す）に沿って延びるように形成されかつ該設置面Ｇに載置された状態で該匍匐害虫用毒餌剤容器１を第１の設置姿勢にする部分である。
【００５０】
設置面Ｇは、例えば地面や床面等を挙げることができるが、匍匐害虫が匍匐しそうな面であればよく、これらに限定されるものではない。設置面Ｇは水平であってもよいし、匍匐害虫用毒餌剤容器１が転がらない程度の傾斜面であってもよい。また、設置面Ｇは平坦であってもよいし、多少の凹凸がある面、湾曲した面であってもよい。
【００５１】
匍匐害虫用毒餌剤容器１が第１の設置姿勢にあるとき、この実施形態の説明では、図１５を正面図とし、図１７を背面図とし、図１８を右側面図とし、図１９を平面図とし、図２０を底面図とする。図１５の左右方向を、第１の設置姿勢にあるときの匍匐害虫用毒餌剤容器１の左右方向とする。図１８の右側を、第１の設置姿勢にあるときの匍匐害虫用毒餌剤容器１の後側とし、図１８の左側を、第１の設置姿勢にあるときの匍匐害虫用毒餌剤容器１の前側とする。これは説明の便宜を図るために定義するだけであり、実際の使用時における方向や設置時における方向、製造時における方向を限定するものではない。
【００５２】
第１の設置姿勢にある匍匐害虫用毒餌剤容器１の第１設置面部１０は、設置面Ｇが水平であれば略水平に延びることになり、この第１設置面部１０の上に、第２設置面部２０、第３設置面部３０及び第４設置面部４０が位置することになる。以下の説明では、設置面Ｇが水平である場合について説明するが、上述したように設置面Ｇが傾斜していてもよい。
【００５３】
第１の設置姿勢にある匍匐害虫用毒餌剤容器１の右側に位置するように第２設置面部２０が形成され、また左側に位置するように第３設置面部３０が形成され、また後側に位置するように第４設置面部４０が形成されている。第１設置面部１０と第２設置面部２０とのなす角度、第１設置面部１０と第３設置面部３０とのなす角度、及び第１設置面部１０と第４設置面部４０とのなす角度は全て等しく設定されており、例えば６０゜にすることができる。さらに、第２設置面部２０と第３設置面部３０とのなす角度、第３設置面部３０と第４設置面部４０とのなす角度、及び第４設置面部４０と第２設置面部２０とのなす角度も全て等しく設定されており、例えば６０゜にすることができる。従って、第１設置面部１０、第２設置面部２０、第３設置面部３０及び第４設置面部４０は、図１９に示す仮想の正四面体を構成する４つの面にそれぞれ沿うように形成されており、匍匐害虫用毒餌剤容器１の外形状のベースは、正四面体となっている。匍匐害虫用毒餌剤容器１の外形状は、全体として正四面体の頂点部及び辺部を削除したような形状とされて丸みが付けられている。
【００５４】
第２設置面部２０、第３設置面部３０及び第４設置面部４０もそれぞれ第１設置面部１０と同様に水平な設置面Ｇに載置された場合に該設置面Ｇに沿って延びる形状とされており、この実施形態では、第１設置面部１０、第２設置面部２０、第３設置面部３０及び第４設置面部４０の形状が全て同じになっている。第２設置面部２０を設置面Ｇに載置すると、第１設置面部１０と第２設置面部２０とのなす角度が所定の角度となっていることから、匍匐害虫用毒餌剤容器１の姿勢が第１の設置姿勢とは異なる第２の設置姿勢になる。つまり、第２設置面部２０は、設置面Ｇに載置された状態で匍匐害虫用毒餌剤容器１を第２の設置姿勢にするための部分である。匍匐害虫用毒餌剤容器１が第２の設置姿勢になると、図示しないが、第２設置面部２０が水平に延び、その第２設置面部２０の上に、第１設置面部１０、第３設置面部３０及び第４設置面部４０が位置することになる。
【００５５】
第３設置面部３０を設置面Ｇに載置すると、匍匐害虫用毒餌剤容器１の姿勢が第１の設置姿勢及び第２の設置姿勢とは異なる第３の設置姿勢になる。つまり、第３設置面部３０は、設置面Ｇに載置された状態で匍匐害虫用毒餌剤容器１を第３の設置姿勢にするための部分である。匍匐害虫用毒餌剤容器１が第３の設置姿勢になると、図示しないが、第３設置面部３０が水平に延び、その第３設置面部３０の上に、第１設置面部１０、第２設置面部２０及び第４設置面部４０が位置することになる。
【００５６】
第４設置面部４０を設置面Ｇに載置すると、匍匐害虫用毒餌剤容器１の姿勢が第２の設置姿勢、第２の設置姿勢及び第３の設置姿勢とは異なる第４の設置姿勢になる。つまり、第４設置面部４０は、設置面Ｇに載置された状態で匍匐害虫用毒餌剤容器１を第４の設置姿勢にするための部分である。匍匐害虫用毒餌剤容器１が第４の設置姿勢になると、図示しないが、第４設置面部４０が水平に延び、その第４設置面部４０の上に、第１設置面部１０、第２設置面部２０及び第３設置面部３０が位置することになる。したがって、匍匐害虫用毒餌剤容器１は４つの設置姿勢をとることが可能になっている。
【００５７】
図２０〜図２２に示すように、第１設置面部１０には、匍匐害虫用毒餌剤容器１の内方へ向けて窪む第１凹面部１０ａが形成されている。第１凹面部１０ａの周縁部の形状は略円形となっており、第１設置面部１０における第１凹面部１０ａの周囲が設置面Ｇに設置する部分となっている。第１凹面部１０ａの中心部には、匍匐害虫用毒餌剤容器１の内方へ向けて窪む第１中心凹部１０ｂが形成されている。第１凹面部１０ａには、第１中心凹部１０ｂを囲むように、３つの凹部１０ｃ、１０ｄ、１０ｅが形成されている。３つの小径凹部１０ｃ、１０ｄ、１０ｅは、第１中心凹部１０ｂの周方向に略等間隔に配置されている。小径凹部１０ｃ、１０ｄ、１０ｅのうち、小径凹部１０ｅの深さが、他の小径凹部１０ｃ、１０ｄの深さに比べて深くなっている。小径凹部１０ｃ、１０ｄの深さは略同じである。小径凹部１０ｅの深さと、小径凹部１０ｃ、１０ｄの深さとの差は、例えば１ｍｍ程度にすることができる。
【００５８】
図１４、図１５及び図１９等に示すように、第２設置面部２０には、第１設置面部１０と同様に匍匐害虫用毒餌剤容器１の内方へ向けて窪む第２凹面部２０ａが形成されている。第２設置面部２０における第２凹面部２０ａの周囲が設置面Ｇに設置する部分となっている。第２凹面部２０ａの中心部には、匍匐害虫用毒餌剤容器１の内方へ向けて窪む第２中心凹部２０ｂが形成されている。
【００５９】
また、第３設置面部３０には、第１設置面部１０や第２設置面部２０と同様に匍匐害虫用毒餌剤容器１の内方へ向けて窪む第３凹面部３０ａが形成されている。第３設置面部３０における第３凹面部３０ａの周囲が設置面Ｇに設置する部分となっている。第３凹面部３０ａの中心部には、匍匐害虫用毒餌剤容器１の内方へ向けて窪む第３中心凹部３０ｂが形成されている。
【００６０】
さらに、第４設置面部４０には、第１設置面部１０等と同様に匍匐害虫用毒餌剤容器１の内方へ向けて窪む第４凹面部４０ａが形成されている。第４設置面部４０における第４凹面部４０ａの周囲が設置面Ｇに設置する部分となっている。第４凹面部４０ａの中心部には、匍匐害虫用毒餌剤容器１の内方へ向けて窪む第４中心凹部４０ｂが形成されている。尚、上記第１凹面部１０ａ、第２凹面部２０ａ、第３凹面部３０ａ及び第４凹面部４０ａは省略してもよい。
【００６１】
この実施形態では、第１設置面部１０、第２設置面部２０、第３設置面部３０及び第４設置面部４０の全てが同じ形状であり、第１凹面部１０ａ、第２凹面部２０ａ、第３凹面部３０ａ及び第４凹面部４０ａの全てが同じ形状となっている。従って、第１設置面部１０、第２設置面部２０、第３設置面部３０及び第４設置面部４０のうち、どの面部を設置面Ｇに載置したとしても、実際には匍匐害虫用毒餌剤容器１の姿勢は異なっているのであるが、使用者は同じ姿勢であるように見える。尚、小径凹部１０ｃ、１０ｄ、１０ｅが第１設置面部１０にのみ設けられていて、第２設置面部２０、第３設置面部３０及び第４設置面部４０には設けられていないので、第１設置面部１０と、第２設置面部２０、第３設置面部３０及び第４設置面部４０との間で外観上の多少の相違はあるが、小径凹部１０ｃ、１０ｄ、１０ｅは小さなものであって目立ちにくいので、匍匐害虫用毒餌剤容器１の姿勢がどの姿勢であっても、使用者は同じ姿勢であるように見える。
【００６２】
また、第１設置面部１０、第２設置面部２０、第３設置面部３０及び第４設置面部４０の全てが同じ形状であることから、匍匐害虫用毒餌剤容器１の姿勢がどの姿勢であっても匍匐害虫用毒餌剤容器１を同じように安定させることができる。
【００６３】
匍匐害虫用毒餌剤容器１の外寸は、例えば３５ｍｍ以上７０ｍｍ以下に設定することができる。匍匐害虫用毒餌剤容器１の外寸を大きくすると、匍匐害虫用毒餌剤容器１の容積が大きくなり、その結果、第１〜第４開口部１１〜１４から侵入した匍匐害虫が、毒餌剤４００を食べ終えた後も匍匐害虫用毒餌剤容器１の内部に居つき、そのまま死に至ることがある。例えばゴキブリのように比較的大きな害虫の場合、匍匐害虫用毒餌剤容器１の内部で死に至ると、開口部１１〜１４を塞いでしまう可能性がある。このことを抑制するために、匍匐害虫用毒餌剤容器１の外寸を上記した上限値以下にして匍匐害虫用毒餌剤容器１の容積を小さくすることで、毒餌剤４００を食べ終えた匍匐害虫が匍匐害虫用毒餌剤容器１内に居つかないようするのが好ましい。
【００６４】
（匍匐害虫用毒餌剤容器１の開口部）
匍匐害虫用毒餌剤容器１には、匍匐害虫の侵入口となる第１〜第４開口部１１〜１４が互いに間隔をあけて形成されている。小さな匍匐害虫の場合、その体全体が第１〜第４開口部１１〜１４のいずれかから匍匐害虫用毒餌剤容器１に侵入する場合がある。また、例えば大きなゴキブリ等の場合、頭と胴体の一部のみが第１〜第４開口部１１〜１４から匍匐害虫用毒餌剤容器１に侵入して体の全体が匍匐害虫用毒餌剤容器１の内部に侵入しないことがあるが、この場合も体の一部が匍匐害虫用毒餌剤容器１の内部に侵入していることから第１〜第４開口部１１〜１４を侵入口と呼ぶことができる。この場合も毒餌剤４００を喫食することは可能である。
【００６５】
この実施形態１では、第１〜第４開口部１１〜１４は、図１９に示す仮想の正四面体の４つの頂点部分にそれぞれ対応するように形成されている。第１〜第４開口部１１〜１４は、互いに異なる方向に向けて開口している。また、第１〜第４開口部１１〜１４の形状は同じにすることもできるし、異なる形状にすることもできる。第１〜第４開口部１１〜１４の開口面積は同じにすることもできるし、異なる面積にすることもできる。第１〜第４開口部１１〜１４の大きさや開口面積を変えることで、複数種の匍匐害虫を駆除対象害虫とすることができる。
【００６６】
第１〜第４開口部１１〜１４は、匍匐害虫用毒餌剤容器１の内部に連通しており、匍匐害虫用毒餌剤容器１の内部空間を外部に開放するための部分でもある。匍匐害虫用毒餌剤容器１の内部に収容されている毒餌剤４００の誘引剤は、揮発した後、第１〜第４開口部１１〜１４から匍匐害虫用毒餌剤容器１の外部に流出することになるので、匍匐害虫の誘引効果を高めることができる。また、匍匐害虫用毒餌剤容器１に複数の開口部１１〜１４を形成しているので、外部の風が一の開口部から匍匐害虫用毒餌剤容器１に入った後、他の開口部から出ていき、このときに揮発した誘引剤が風に乗って匍匐害虫用毒餌剤容器１の外部に流出する。よって、匍匐害虫の誘引効果をより一層高めることができる。
【００６７】
尚、この実施形態では、匍匐害虫の侵入口となる開口部を匍匐害虫用毒餌剤容器１に４つ形成しているが、これに限られるものではなく、３つ以下であってもよいし、５つ以上であってもよい。また、匍匐害虫用毒餌剤容器１には、匍匐害虫の侵入口となる開口部以外にも、例えば、誘引剤を匍匐害虫用毒餌剤容器１の外部に流出させるための小さな開口部やスリット等を形成することもできる。
【００６８】
図１４及び図１５に示すように、第１開口部１１は、第１の設置姿勢にある匍匐害虫用毒餌剤容器１の下部において正面に位置しており、第１設置面部１０、第２設置面部２０及び第３設置面部３０で囲まれた部分に開口している。図１７及び図１８に示すように、第２開口部１２は、第１の設置姿勢にある匍匐害虫用毒餌剤容器１の下部において右後部に位置しており、第１設置面部１０、第２設置面部２０及び第４設置面部４０で囲まれた部分に開口している。図１７及び図２０に示すように、第３開口部１３は、第１の設置姿勢にある匍匐害虫用毒餌剤容器１の下部において左後部に位置しており、第１設置面部１０、第３設置面部３０及び第４設置面部４０で囲まれた部分に開口している。図１４及び図１５に示すように、第４開口部１４は、第１の設置姿勢にある匍匐害虫用毒餌剤容器１の上部に位置しており、第２設置面部２０、第３設置面部３０及び第４設置面部４０で囲まれた部分に開口している。
【００６９】
従って、匍匐害虫用毒餌剤容器１が第１の設置姿勢にあるときには、第１開口部１１、第２開口部１２及び第３開口部１３が匍匐害虫用毒餌剤容器１の下部に位置する一方、第４開口部１４が匍匐害虫用毒餌剤容器１の上部に位置することになる。この場合、設置面Ｇの匍匐する匍匐害虫は、第１開口部１１、第２開口部１２及び第３開口部１３から匍匐害虫用毒餌剤容器１の内部に侵入し易くなる。一方、匍匐害虫用毒餌剤容器１に登るように移動した匍匐害虫は、第４開口部１４から匍匐害虫用毒餌剤容器１の内部に侵入し易くなるので、匍匐害虫の侵入率を高めることができる。
【００７０】
また、匍匐害虫用毒餌剤容器１が第２の設置姿勢にあるときには、第１開口部１１、第２開口部１２及び第４開口部１４が匍匐害虫用毒餌剤容器１の下部に位置する一方、第３開口部１３が匍匐害虫用毒餌剤容器１の上部に位置することになる。この場合、設置面Ｇの匍匐する匍匐害虫は、第１開口部１１、第２開口部１２及び第４開口部１４から匍匐害虫用毒餌剤容器１の内部に侵入し易くなり、匍匐害虫用毒餌剤容器１に登るように移動した匍匐害虫は、第３開口部１３から匍匐害虫用毒餌剤容器１の内部に侵入し易くなる。
【００７１】
また、匍匐害虫用毒餌剤容器１が第３の設置姿勢にあるときには、第１開口部１１、第３開口部１３及び第４開口部１４が匍匐害虫用毒餌剤容器１の下部に位置する一方、第２開口部１２が匍匐害虫用毒餌剤容器１の上部に位置することになる。この場合、設置面Ｇの匍匐する匍匐害虫は、第１開口部１１、第３開口部１３及び第４開口部１４から匍匐害虫用毒餌剤容器１の内部に侵入し易くなり、匍匐害虫用毒餌剤容器１に登るように移動した匍匐害虫は、第２開口部１２から匍匐害虫用毒餌剤容器１の内部に侵入し易くなる。
【００７２】
また、匍匐害虫用毒餌剤容器１が第４の設置姿勢にあるときには、第２開口部１２、第３開口部１３及び第４開口部１４が匍匐害虫用毒餌剤容器１の下部に位置する一方、第１開口部１１が匍匐害虫用毒餌剤容器１の上部に位置することになる。この場合、設置面Ｇの匍匐する匍匐害虫は、第２開口部１２、第３開口部１３及び第４開口部１４から匍匐害虫用毒餌剤容器１の内部に侵入し易くなり、匍匐害虫用毒餌剤容器１に登るように移動した匍匐害虫は、第１開口部１１から匍匐害虫用毒餌剤容器１の内部に侵入し易くなる。
【００７３】
図１６は、匍匐害虫用毒餌剤容器１が第１の設置姿勢にあるときの第１開口部１１と設置面Ｇとの位置関係を示している。第１開口部１１は、第１の設置姿勢で匍匐害虫用毒餌剤容器１の下部に位置しかつ設置面Ｇに沿う方向に長い第１侵入領域（符号Ｓ１で示す矩形枠で囲まれた領域）を有している。厳密には、矩形枠Ｓ１で囲まれた領域のうち、第１開口部１１内に位置する領域、即ち矩形枠Ｓ１と第１開口部１１とが重複する領域が第１侵入領域になるが、矩形枠Ｓ１のうち、第１開口部１１外に位置する領域は極めて小さいため、この説明では、矩形枠Ｓ１で囲まれた領域を第１侵入領域というものとする。
【００７４】
特に匍匐害虫がゴキブリである場合は、体が扁平であるため、設置面Ｇに沿う方向に長い侵入領域を確保しておくことで、匍匐害虫用毒餌剤容器１の内部に侵入する確率がより一層高まる。
【００７５】
また、ゴキブリは自身の体の形状に合った隙間を好む性質があるため、第１開口部１１の縁部の形状がゴキブリの体に接触し易い形状であれば侵入率が向上すると考えられる。この点、本実施形態の第１侵入領域Ｓ１の左右両側縁部は、左右方向（設置面Ｇに沿う方向）外側に向けて凸となるように湾曲している。第１侵入領域Ｓ１の高さＨは、側縁部の上下方向の寸法とすることができ、６ｍｍ以上１５ｍｍ以下の範囲で設定されている。第１侵入領域Ｓ１の高さＨは７ｍｍ以上にするのが好ましい。また、第１侵入領域Ｓ１の高さＨ１は１２ｍｍ以下にするのが好ましい。第１侵入領域Ｓ１の高さＨを上記範囲内で設定することにより、設置面Ｇを匍匐しているゴキブリが第１開口部１１の第１侵入領域Ｓ１に侵入する際に侵入し易くすることができる。すなわち、第１侵入領域Ｓ１の高さＨをゴキブリの体高に合わせるとともに、左右の側縁部が左右方向（設置面Ｇに沿う方向）外側に向けて凸となるように湾曲することで、第１侵入領域Ｓ１の左右少なくとも何れか一方の側縁部がゴキブリの体側部に沿って密着し易くなる。これによりゴキブリは、第１開口部１１のことを、自身にとって好ましい隙間と認識し易くなると考えられる。このように、侵入時のゴキブリの体が第１開口部１１の側縁部に若干触れるようにしておくことで、ゴキブリを、その習性を利用して匍匐害虫用毒餌剤容器１の内部に誘き寄せることができる。
【００７６】
第１侵入領域Ｓ１の幅Ｗは、第１侵入領域Ｓ１の左右両側縁部間の寸法とすることができ、１５ｍｍ以上４０ｍｍ以下の範囲で設定されている。第１侵入領域Ｓ１の幅Ｗは２０ｍｍ以上３０ｍｍ以下にするのが好ましい。第１侵入領域Ｓ１の幅Ｗを上記範囲内で設定することにより、例えば複数匹のゴキブリが同時に第１開口部１１から匍匐害虫用毒餌剤容器１の内部に侵入可能になる。
【００７７】
匍匐害虫用毒餌剤容器１が第１の設置姿勢にあるときに、第１開口部１１の下縁部となる縁部１１ａは、該縁部１１ａの長手方向中間部が両端部に比べて上に位置するように形成されている。従って、第１開口部１１の縁部１１ａは、両端部に近づくほど下に位置するように形成される一方、中央部に近づくほど上に位置するように形成される。このように、第１開口部１１の縁部１１ａの長手方向中間部が上に位置することで、第１開口部１１に例えば指等を差し込もうとした際に差し込みにくくなり、匍匐害虫用毒餌剤容器１の内部の毒餌剤４００に誤って触れてしまうのを抑制することができる。
【００７８】
匍匐害虫用毒餌剤容器１が第２の設置姿勢になると、図１６に示す第１開口部１１の縁部１１ｂが匍匐害虫用毒餌剤容器１の下部に位置し、第１開口部１１の下縁部になる。縁部１１ｂは、該縁部１１ｂの長手方向中間部が両端部に比べて上に位置するように形成されている。第１開口部１１は、第２の設置姿勢で匍匐害虫用毒餌剤容器１の下部に位置しかつ設置面Ｇに沿う方向に長い第２侵入領域（符号Ｓ２で示す矩形枠で囲まれた領域）を有している。この第２侵入領域Ｓ２は第１侵入領域Ｓ１と同じ形状である。第１侵入領域Ｓ１と第２侵入領域Ｓ２とは、第１開口部１１の内部において互いに重複する部分を有している。
【００７９】
匍匐害虫用毒餌剤容器１が第３の設置姿勢になると、図１６に示す第１開口部１１の縁部１１ｃが匍匐害虫用毒餌剤容器１の下部に位置し、第１開口部１１の下縁部になる。縁部１１ｃは、該縁部１１ｃの長手方向中間部が両端部に比べて上に位置するように形成されている。第１開口部１１は、第３の設置姿勢で匍匐害虫用毒餌剤容器１の下部に位置しかつ設置面Ｇに沿う方向に長い第３侵入領域（符号Ｓ３で示す矩形枠で囲まれた領域）を有している。この第３侵入領域Ｓ３は第１侵入領域Ｓ１と同じ形状である。第３侵入領域Ｓ３と、第１侵入領域Ｓ１及び第２侵入領域Ｓ２とは、第１開口部１１の内部において互いに重複する部分を有している。
【００８０】
第１開口部１１は、匍匐害虫用毒餌剤容器１が第１の設置姿勢、第２の設置姿勢、第３の設置姿勢のいずれにあるときでも匍匐害虫用毒餌剤容器１の下部に配置される侵入口となる。そして、匍匐害虫用毒餌剤容器１が第１の設置姿勢、第２の設置姿勢、第３の設置姿勢のいずれにあるときでも、設置面Ｇに沿う方向に長い侵入領域を形成することができるので、匍匐害虫用毒餌剤容器１の設置姿勢に関わらず、匍匐害虫の侵入率を高めることができる。
【００８１】
匍匐害虫用毒餌剤容器１が第１の設置姿勢、第２の設置姿勢、第３の設置姿勢のいずれにあるときでも、設置面Ｇに沿う方向に長い侵入領域を形成するために、第１開口部１１は大きく開口することになる。第１の設置姿勢にあるときには、第１開口部１１の高さ方向の寸法は左右方向の中央部が最も長くなる。第１開口部１１の左右方向の中央部の高さ寸法が最も長くなるのは、第２の設置姿勢及び第３の設置姿勢であっても同様である。
【００８２】
第２開口部１２、第３開口部１３及び第４開口部１４も同様に３つの設置姿勢のそれぞれに対応した３つの侵入領域を有している。
【００８３】
（毒餌剤４００の位置決め構造）
図２１及び図２２に示すように、匍匐害虫用毒餌剤容器１の内部には、毒餌剤４００の外面に接触して該毒餌剤４００を所定位置に位置決めするための第１〜第３位置決め部２〜４が該匍匐害虫用毒餌剤容器１の内面から突出するように設けられている。図１０に示すように、第１〜第３位置決め部２〜４は、匍匐害虫用毒餌剤容器１が第１の設置姿勢にあるときに底板部となる部分の内面から上方へ突出する柱状に形成されている。第１〜第３位置決め部２〜４は、匍匐害虫用毒餌剤容器１が第１の設置姿勢にあるときに底板部となる部分の中心部を囲むように配置されており、第１〜第３位置決め部２〜４で囲まれた部分に毒餌剤４００が配置される。第１〜第３位置決め部２〜４が毒餌剤４００の外面に接触することで、毒餌剤４００は３方向から支持されるとともに上下方向への移動が阻止されて保持される。
【００８４】
また、第１〜第３位置決め部２〜４は、製造時等においてスタッキングされた第１部材２０１を相互に支えるための支柱を兼ねている。即ち、図１１に示すように、第１部材２０１を上下方向に重ねてスタッキングする際、第１〜第３位置決め部２〜４の先端部がそれぞれ第１設置面部１０の小径凹部１０ｃ、１０ｄ、１０ｅに挿入されるように、第１〜第３位置決め部２〜４の先端部の位置及び形状が設定されている。なお、第１〜第３位置決め部２〜４の先端部と、第１設置面部１０の小径凹部１０ｃ、１０ｄ、１０ｅとが固着しないように、各部の寸法が設定されている。
【００８５】
このように、スタッキングされた第１部材２０１を相互に支えるための支柱（第１〜第３位置決め部２〜４）を、第１部材２０１に３本設けているので、例えばスタッキング状態で上下方向の荷重が掛かった場合に、各第１部材２０１において荷重を分散し安定して支えることができる。これにより、スタッキング時の荷重が一箇所に集中することがないので、第１部材２０１およびそれらを繋ぐ連結部１００の破損・変形等を未然に防止することができる。
【００８６】
また、上記のように、下に位置する第１〜第３位置決め部２〜４の先端部を、上に位置する第１設置面部１０の小径凹部１０ｃ、１０ｄ、１０ｅに挿入することで、上の第１部材２０１と下の第１部材２０１とが水平方向にずれにくくなり、スタッキング状態を維持することができる。
【００８７】
ところで水平方向のずれを防止するという観点からすると、第１〜第３位置決め部２〜４が小径凹部１０ｃ、１０ｄ、１０ｅに挿入される深さは、十分に深い方が好ましい。ところが、前述のとおり、本実施形態の第１部材２０１は、複数個が連結された状態で成形されてスタッキングされる。例えば６個連結の場合、当該連結状態では、合計１８本の支柱（第１〜第３位置決め部２〜４）を有することになり、スタッキング時にはそれぞれが小径凹部１０ｃ〜１０ｅに挿入されることになる。ここで仮に、当該１８本の支柱が全て同じように深く挿入されていると、スタッキング状態の第１部材２０１を上から順に取り上げようとした際に、引っかかりが生じ易い。この場合、一番上の段だけ取り上げたいにもかかわらず、予期せずに複数段の第１部材２０１を一緒に取り上げてしまう等の弊害が生じる可能性があり、組み立て時の作業性が悪化するおそれがある。
【００８８】
そこで本実施形態では、第１位置決め部２の高さは、第２位置決め部３及び第３位置決め部４の高さよりも高くなっている。第１位置決め部２の高さと、第２位置決め部３及び第３位置決め部４の高さとの差は、例えば１ｍｍ程度に設定することができる。第２位置決め部３及び第３位置決め部４の高さは同じである。そして、第１位置決め部２の先端部が、最も深い小径凹部１０ｅに挿入される。
【００８９】
即ち、本実施形態の第１部材２０１では、スタッキング状態で挿入される支柱（第１〜第３位置決め部２〜４）のうち、一部（第１位置決め部２）のみが比較的深く挿入され、それ以外（第２および３位置決め部３，４）は比較的浅く挿入されるように構成されている。これにより、全ての支柱が同じように深く挿入される場合に比べて、スタッキング状態の第１部材２０１を上から順に取り上げる際の引っかかりが低減し、一番上の段のみを取り上げやすい。結果として、組み立て時の作業性が向上する。
【００９０】
なお本実施形態では、第１部材２０１が例えば６個連結された状態でスタッキングされるが、この場合、比較的深く挿入される支柱（第１位置決め部２）は計６本となる。このように複数本の支柱が比較的深く挿入されることにより、水平方向のずれを確実に防止できる。ただし、比較的深く挿入される支柱の数はこれに限らない。水平方向のずれを確実に防止するためには、第１部材２０１が複数個連結された状態において、少なくとも計３本の支柱が比較的深く挿入されるように構成されていることが好ましい。
【００９１】
また、第１〜第３位置決め部２〜４は、ユーザーが誤って毒餌剤４００に触れてしまうことを防止するガードの役割も兼ねている。即ち、図１５に示すように、匍匐害虫用毒餌剤容器１の外部から第１開口部１１を見たとき、第１位置決め部２が該第１開口部１１と重複するように位置している。よって、例えば指等が外部から第１開口部１１に差し込まれたときに、第１位置決め部２に当たり、毒餌剤４００には触れにくくなる。また、匍匐害虫用毒餌剤容器１の外部から第２開口部１２を見たとき、第２位置決め部３が該第２開口部１２と重複するように位置しており、また、匍匐害虫用毒餌剤容器１の外部から第３開口部１３を見たとき、第３位置決め部４が該第３開口部１３と重複するように位置している。よって、例えば指等が外部から第２開口部１２や第３開口部１３に差し込まれたときにも、毒餌剤４００には触れにくくなる。
【００９２】
（第２部材３０１のリブ）
図１２等に示すように、第２部材３０１の内面には、３つのリブ６が形成されている。匍匐害虫用毒餌剤容器１が第１の設置姿勢にあるときに、リブ６は下方へ向けて突出することになる。３つのリブ６は、所定位置に保持されている毒餌剤４００を囲むように配置されている。尚、リブ６の数は３つに限られるものではない。
【００９３】
３つのリブ６のうち、１つのリブ６には切欠部６ａが形成されている。図１３に示すように、第２部材３０１を上下方向に重ねてスタッキングする際、下の第２部材３０１の上面が、上の第２部材３０１のリブ６の下端部に当接し、下の第２部材３０１の上面の一部がリブ６の切欠部６ａに嵌まるようになっている。すなわち、リブ６の切欠部６ａは、第２部材３０１の上面の一部が嵌合するような形状とされている。このように、下に位置する第２部材３０１を、上に位置する第２部材３０１のリブ６の切欠部６ａに嵌めることで、上の第２部材３０１と下の第２部材３０１とが水平方向にずれにくくなり、スタッキング状態を維持することができる。
【００９４】
（実施形態の作用効果）
以上説明したように、この実施形態に係る匍匐害虫用毒餌剤容器１によれば、第１設置面部１０が設置面Ｇに載置されると匍匐害虫用毒餌剤容器１が第１の設置姿勢になり、また第２設置面部２０が設置面Ｇに載置されると匍匐害虫用毒餌剤容器１が第２の設置姿勢になる。また、第３設置面部３０が設置面Ｇに載置されると匍匐害虫用毒餌剤容器１が第３の設置姿勢になり、また第４設置面部４０が設置面Ｇに載置されると匍匐害虫用毒餌剤容器１が第４の設置姿勢になる。従って、匍匐害虫用毒餌剤容器１を複数通りの姿勢で設置可能になるので、使用者は、設置時に１つの定まった姿勢で設置する必要がなくなり、使用者の利便性が向上する。例えば、匍匐害虫用毒餌剤容器１を上方から設置面Ｇに放り投げた場合には、匍匐害虫用毒餌剤容器１の姿勢が、上記４つの姿勢のうちの１つの姿勢に自然になるので、使用者は容易に設置することができる。
【００９５】
そして、匍匐害虫用毒餌剤容器１が第１の設置姿勢にあるときには、第１開口部１１の第１侵入領域Ｓ１が設置面Ｇに沿う方向に長くなり、また匍匐害虫用毒餌剤容器１が第２の設置姿勢にあるときには、第１開口部１１の第２侵入領域Ｓ２が設置面に沿う方向に長くなる。つまり、いずれの設置姿勢であっても設置面Ｇに沿う方向に長い開口領域を有することになるので、設置面Ｇを匍匐している匍匐害虫が第１開口部１１から容器１の内部に侵入し易くなる。その結果、匍匐害虫の侵入率が高まるので、駆除効果を高めることができる。
【００９６】
また、匍匐害虫用毒餌剤容器１が正四面体をベースとした形状であることからいずれの設置姿勢であっても高さを十分に確保できる。従って、平面視における投影面積を大きくすることなく、大きな毒餌剤４００を匍匐害虫用毒餌剤容器１に収容することができるので、設置面Ｇの面積が小さくても匍匐害虫用毒餌剤容器１を設置することができる。大きな毒餌剤４００を収容することができるので、高い誘引効果及び殺虫効果を長期間に亘って持続させることができるとともに、広範囲に効力を発揮できる。
【００９７】
（実施形態２）
図２３〜図２７は、本発明の実施形態２に係る匍匐害虫用毒餌剤容器１を示すものである。実施形態２は、設置面部が６つある点で実施形態１のものとは異なっている。以下、実施形態１と同じ部分には同じ符号を付して説明を省略し、実施形態１と異なる部分について詳細に説明する。
【００９８】
実施形態２の匍匐害虫用毒餌剤容器１は、第１〜第６設置面部１０、２０、３０、４０、５０、６０を有しており、実施形態１の場合と同様に２つの部材が組み合わされて構成されている。第１設置面部１０が設置面Ｇに載置された状態で匍匐害虫用毒餌剤容器１が第１の設置姿勢になり、また第２設置面部２０が設置面Ｇに載置された状態で匍匐害虫用毒餌剤容器１が第２の設置姿勢になり、また第３設置面部３０が設置面Ｇに載置された状態で匍匐害虫用毒餌剤容器１が第３の設置姿勢になり、また第４設置面部４０が設置面Ｇに載置された状態で匍匐害虫用毒餌剤容器１が第４の設置姿勢になり、また第５設置面部５０が設置面Ｇに載置された状態で匍匐害虫用毒餌剤容器１が第５の設置姿勢になり、また第６設置面部６０が設置面Ｇに載置された状態で匍匐害虫用毒餌剤容器１が第６の設置姿勢になる。従って、実施形態２の匍匐害虫用毒餌剤容器１は、６つの設置姿勢をとることが可能に構成されている。
【００９９】
匍匐害虫用毒餌剤容器１が第１の設置姿勢にあるとき、第１設置面部１０と第２設置面部２０とのなす角度、第１設置面部１０と第３設置面部３０とのなす角度、第１設置面部１０と第４設置面部４０とのなす角度、第１設置面部１０と第５設置面部５０とのなす角度は全て等しく設定されており、例えば９０゜にすることができる。また、匍匐害虫用毒餌剤容器１が第１の設置姿勢にあるとき、第６設置面部６０と第２設置面部２０とのなす角度、第６設置面部６０と第３設置面部３０とのなす角度、第６設置面部６０と第４設置面部４０とのなす角度、第６設置面部６０と第５設置面部５０とのなす角度は全て等しく設定されており、例えば９０゜にすることができる。また、第１設置面部１０と第６設置面部６０とは略平行であり、第２設置面部２０と第５設置面部５０とは略平行であり、第３設置面部３０と第４設置面部４０とは略平行である。従って、第１〜第６設置面部１０、２０、３０、４０、５０、６０は、仮想の立方体を構成する６つの面にそれぞれ沿うように形成されており、匍匐害虫用毒餌剤容器１の外形状のベースは、立方体となっている。尚、図示しないが、第１〜第６設置面部は、仮想の直方体を構成する６つの面にそれぞれ沿うように形成してもよく、この場合、匍匐害虫用毒餌剤容器１の外形状のベースは、直方体となる。
【０１００】
匍匐害虫用毒餌剤容器１には、匍匐害虫の侵入口となる第１〜第８開口部１１〜１８が互いに間隔をあけて形成されている。この実施形態２では、第１〜第８開口部１１〜１８は、仮想の立方体の８つの頂点部分にそれぞれ対応するように形成されている。第１〜第４開口部１１〜１４は、第１の設置姿勢にある匍匐害虫用毒餌剤容器１の下部に位置しており、第５〜第８開口部１５〜１８は、第１の設置姿勢にある匍匐害虫用毒餌剤容器１の上部に位置している。各開口部１５〜１８は、実施形態１の開口部と同様に、設置面Ｇに沿う方向に長い侵入領域を有している。
【０１０１】
図２６に示すように、匍匐害虫用毒餌剤容器１の内部には、毒餌剤４００を支持する支持部１５、６５が設けられている。支持部１５、６５は、匍匐害虫用毒餌剤容器１の内面から突出し、突出方向先端部が毒餌剤４００に接触するように形成されている。
【０１０２】
したがって、この実施形態２においても実施形態１と同様に匍匐害虫用毒餌剤容器１を複数通りの姿勢で設置可能になるので使用者の利便性が向上する。さらに、いずれの設置姿勢であっても設置面Ｇに沿う方向に長い開口領域を有することになるので、設置面Ｇを匍匐している匍匐害虫が第１開口部１１から容器１の内部に侵入し易くなり、その結果、匍匐害虫の駆除効果を高めることができる。
【０１０３】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【０１０４】
以上説明したように、本発明に係る匍匐害虫用毒餌剤容器は、例えば床面や地面等に設置して匍匐害虫を駆除するのに使用することができる。
【符号の説明】
【０１０５】
１                匍匐害虫用毒餌剤容器
２                位置決め部
１０              第１設置面部
１１〜１４        第１〜第４開口部
１５〜１８        第５〜第８開口部
２０              第２設置面部
３０              第３設置面部
４０              第４設置面部
５０              第５設置面部
６０              第６設置面部
４００            毒餌剤
Ｓ１〜Ｓ３        第１〜第３侵入領域
Ｇ                設置面
【図１】
2019122272.tif 000003
【図２】
2019122272.tif 000004
【図３】
2019122272.tif 000005
【図４】
2019122272.tif 000006
【図５】
2019122272.tif 000007
【図６】
2019122272.tif 000008
【図７】
2019122272.tif 000009
【図８】
2019122272.tif 000010
【図９】
2019122272.tif 000011
【図１０】
2019122272.tif 000012
【図１１】
2019122272.tif 000013
【図１２】
2019122272.tif 000014
【図１３】
2019122272.tif 000015
【図１４】
2019122272.tif 000016
【図１５】
2019122272.tif 000017
【図１６】
2019122272.tif 000018
【図１７】
2019122272.tif 000019
【図１８】
2019122272.tif 000020
【図１９】
2019122272.tif 000021
【図２０】
2019122272.tif 000022
【図２１】
2019122272.tif 000023
【図２２】
2019122272.tif 000024
【図２３】
2019122272.tif 000025
【図２４】
2019122272.tif 000026
【図２５】
2019122272.tif 000027
【図２６】
2019122272.tif 000028
【図２７】
2019122272.tif 000029